(57)【特許請求の範囲】
【請求項１】
装置本体と、プラテンローラを設けた開閉カバーとを備えた携帯用プリンタのモータの固定構造において、
前記プラテンローラを回転駆動させるモータと、前記モータを収納するモータ収納部を前記開閉カバーに設け、
前記モータに備えられている取付け用ネジ孔に嵌入する突起部を有するモータカバーと、
前記モータカバーの両端部に設けられ、係合爪を有する第１の嵌合部材と、
前記モータ収納部に設けられ、前記第１の嵌合部材を嵌合させた状態で前記モータカバーと前記モータ収納部とが接近・離間するようにスライド可能なガイド溝を有すると共に前記係合爪に係合する係合部を有する第２の嵌合部材と、を備え、
前記モータカバーの前記突起部を前記モータの取付け用ネジ孔に嵌入し、この状態で、
前記モータ収納部の開閉カバー側面板に沿うように、前記第１の嵌合部材を前記第２の嵌合部材のガイド溝に差し込んで前記接近する方向にスライドさせることにより前記モータ収納部と前記モータカバーで前記モータを挟み込むと共に、前記係合爪を前記係合部に係合させることを特徴とする携帯用プリンタのモータの固定構造。
【請求項２】
前記モータカバー及び前記モータ収納部は、前記モータの周面形状に対応した形状を有していることを特徴とする請求項１の携帯用プリンタのモータの固定構造。
【請求項３】
前記モータの側面を固定する側面固定部材を設けたことを特徴とする請求項１または２の携帯用プリンタのモータの固定構造。
【発明の詳細な説明】
【０００１】
【発明の属する技術分野】
本発明はモータの固定構造に係り、特に携帯用プリンタのモータを固定する携帯用プリンタのモータの固定構造に関する。
【０００２】
【従来の技術】
従来、携帯用プリンタの組み立て作業において、ケースに設けられたモータ収納部にモータを固定する場合には、モータに設けられたモータ取付け用ネジ孔を介してモータをモータ収納部にネジ止めしていた。
【０００３】
【発明が解決しようとする課題】
しかしながら、携帯用プリンタのように、モータが小さいためにネジ自体が極めて小さい場合には、ネジ止め作業がしにくいという欠点があり、特にモータ収納部近傍に他の部品等が密集しており、ドライバーが入りにくい場合には、ネジ止め作業が一層困難になる。
【０００４】
本発明はこのような事情に鑑みて成されたもので、ネジ止めが不要となり作業の簡略化を図ることができると共に、部品点数を削減できる携帯用プリンタのモータの固定構造を提供することを目的とする。
【０００５】
【課題を解決するための手段】
本発明は前記目的を達成するために、装置本体と、プラテンローラを設けた開閉カバーとを備えた携帯用プリンタのモータの固定構造において、前記プラテンローラを回転駆動させるモータと、前記モータを収納するモータ収納部を前記開閉カバーに設け、前記モータに備えられている取付け用ネジ孔に嵌入する突起部を有するモータカバーと、前記モータカバーの両端部に設けられ、係合爪を有する第１の嵌合部材と、前記モータ収納部に設けられ、前記第１の嵌合部材を嵌合させた状態で前記モータカバーと前記モータ収納部とが接近・離間するようにスライド可能なガイド溝を有すると共に前記係合爪に係合する係合部を有する第２の嵌合部材と、を備え、前記モータカバーの前記突起部を前記モータの取付け用ネジ孔に嵌入し、この状態で、前記モータ収納部の開閉カバー側面板に沿うように、前記第１の嵌合部材を前記第２の嵌合部材のガイド溝に差し込んで前記接近する方向にスライドさせることにより前記モータ収納部と前記モータカバーで前記モータを挟み込むと共に、前記係合爪を前記係合部に係合させることを特徴とする。
【０００６】
本発明によれば、先ず、モータカバーの突起部をモータの取付け用ネジ孔に嵌入する。そして、モータがモータカバーに支持された状態で、第１の嵌合部材を、モータ収納部のガイド溝に差し込んで第２の嵌合部材に嵌合させる。嵌合させた後、更に第１の嵌合部材をガイド溝に沿ってスライドさせてモータ収納部とモータカバーとによりモータを挟み込み、この状態で係合爪と係合部とを係合させる。これにより、モータをモータ収納部に簡単に且つ迅速に固定することができる。
【０００７】
【発明の実施の形態】
以下添付図面に従って、本発明に係るモータの固定構造の好ましい実施の形態について詳説する。尚、本実施の形態では、携帯用のプリンタに使用されるモータの固定構造の例で説明する。
【０００８】
まず、図１に基づいて本発明のモータの固定構造が適用されるプリンタ１０の概略構造について説明する。
【０００９】
図１に示すように、プリンタ装置本体１２の下部には、円弧状に膨らんだ部分を有する開閉カバー１４が装置本体１２に回動自在に支持されている。開閉カバー１４は、開閉レバー１６を上方に押し上げることによって、開閉カバー１４と装置本体１２との係合が解除され、側方に開くようになっている。開閉カバー１４を開くと、その内部に、図示しないラベル用紙の装填部が露出され、巻回されたロール状のラベル用紙を装填することができる。
【００１０】
プリンタ１０の上部には、データ受信部１８が設けられ、カバー２０の内部に受信装置（図示せず）が配設されている。この受信装置は、送信手段（例えばハンディターミナル）から赤外線等によって印字データの信号が送信されると、この信号を受信して印字部にデータを送信する。また、プリンタ１０の一方側面には、電源スイッチ１３、バッテリー収納部の蓋１５、コネクター１７等が設けられる。
【００１１】
プリンタ１０の上面には、操作部２２が設けられ、この操作部２２にフィードボタン２４、プリントボタン２６等が並設されており、プリントボタン２４を押し操作することによって、ラベル用紙が印字部に供給され、印字部でラベルに印字が行われると共に、フィードボタン２４を押し操作することによって、ラベル用紙が印字されずに送り出される。
【００１２】
プリンタ１０の正面には、ラベル用紙取出口２８が設けられ、ラベル用紙取出口２８の内側に印字部が設けられ、印字されたラベル用紙は、ラベル用紙取出口２８から排出される。ラベル用紙取出口２８の上部には、台紙剥離装置３０が設けられており、台紙剥離装置３０は、一対の挟持ツマミ３２、３２の間隔を狭めることによって上下方向にスライドするようになっている。また、台紙剥離装置３０には、ラベル取出口３４が形成されており、台紙剥離装置３０を下方にスライドさせてラベル取出口３４と前記ラベル用紙取出口２８との位置を合わせると、ラベル用紙取出口２８から送り出されたラベル用紙は、ラベルが台紙から剥離されてラベル取出口３４から突出し、剥離した台紙が台紙剥離装置３０の下部と装置本体１２の隙間から排出される。
【００１３】
印字部は、例えば、サーマルプリンタ（図示せず）とプラテンローラ３６とで構成され、プラテンローラ３６、及びプラテンローラ３６を回転駆動するモータ３８等の駆動部は開閉カバー１４側に設けられる（図２、図３参照）。
【００１４】
次に、本発明のモータの固定構造について説明する。
【００１５】
図２は、モータ３８を固定する前の状態であり、モータ３８を固定する部材等を見やすくするために、モータ３８の回転駆動力をプラテンローラ３６に伝達するギア群４２、４２、４２（図３参照）については省略してある。図３は、モータ３８を固定した後の状態で、図４は、モータを固定した後の状態をプリンタの側方を切り欠いて示した側面図である。
【００１６】
これらの図に示すように、モータの固定構造は、主として、モータ３８を収納するモータ収納部４０と、モータカバー４４と、モータカバー４４の両端部に設けられた一対のスナップ板４６、４６と、モータ収納部４０に設けられた一対の溝板４８、４８とで構成される。
【００１７】
モータ収納部４０は、開閉カバー１４の円弧状に膨らんだ部分の一方端側（図１の右側）に設けられ、モータ収納部４０に固定されたモータ３８の動力は、開閉カバー１４の上端部に回転自在に支持されたプラテンローラ３６にギア群４２、４２、４２を介して伝達される。このモータ収納部４０には、モータ周面３８Ａの円弧形状に合わせた面を有する収納部本体５０が縦向きに設けられ、収納部本体５０の上下端部から水平方向に一対の溝板４８、４８が配設される。この溝板４８には、その長手方向にガイド溝４８Ａが形成されると共に、係合孔４８Ｂが形成される。
【００１８】
また、モータ収納部４０には、開閉カバー１４の側面板１４Ａと平行なリブ付き板５４が設けられ、モータ３８の両側面３８Ｂ、３８Ｂを側面板１４Ａとの間で挟み込むことにより、モータ３８の軸方向を固定する。
【００１９】
モータカバー４４は、図５に示すように、モータ周面３８Ａに合わせて円弧状に形成され、モータ収納部４０の収納部本体５０と合わさることによりモータ周面３８Ａ全体を把持する。また、モータカバー４４には、モータ３８に備えられている２個の取付け用ネジ孔３８Ｃ、３８Ｃに嵌入する突起部４４Ａ、４４Ａが形成されると共に、モータカバー４４の両端部上面には、一対のスナップ板４６、４６が支持される。このスナップ板４６は、前記溝板４８のガイド溝４８Ａに嵌合するように形成され、ガイド溝４８Ａに沿ってスナップ板４６をスライドさせることにより、モータカバー４４と収納部本体５０とが接近・離間する。更に、スナップ板４６の先端部には、溝板４８に形成された係合孔４８Ｂに係合する係合爪４６Ａが形成される。尚、スナップ板４６に係合爪４６Ａを形成し、溝板４８に係合孔４８Ｂを形成した例で示したが、スナップ板４６に係合孔を形成して、溝板４８に係合爪を形成してもよい。
【００２０】
次に、モータ３８をモータ収納部４０に固定する手順について説明する。
【００２１】
先ず、モータカバー４４の突起部４４Ａをモータ３８の取付け用ネジ孔３８Ｃに嵌入してモータ３８にモータカバー４４を取り付ける。次に、モータカバー４４の一対のスナップ板４６、４６を、モータ収納部４０における一対の溝板４８、４８のガイド溝４８Ａ、４８Ａにそれぞれ差し込んでスナップ板４６を溝板４８に嵌合させると共に、スナップ板４６の係合爪４６Ａが溝板４８の係合孔４８Ｂに係合するまで、スナップ板４６をガイド溝４８Ａにスライドさせていく。これにより、収納部本体５０とモータカバー４４とでモータ周面３８Ａを挟み込むと共に、リブ付き板５４と開閉カバー１４の側面板１４Ａとによりモータ３８の両側面３８Ｂ、３８Ｂを挟み込んだ状態で、モータ３８がモータ収納部４０に固定される。また、モータカバー４４の突起部４４Ａをモータ３８の取付け用ネジ孔３８Ｃに嵌入しているので、モータ３８を駆動してモータ３８の回転軸用ギア３８Ｄが回転してもモータ本体が動くことがない。
【００２２】
このように、本発明のモータの固定構造は、モータ３８を支持したモータカバー４４のスナップ板４６を、モータ収納部４０に設けられた溝板４８のガイド溝４８Ａに差し込むだけでよいので、ネジ止めが不要となりモータ３８の固定作業を簡略化できるので、プリンタ１０の組立て作業工数の低減及び組立時間の短縮を図ることができる。また、部品点数を削減できる。
【００２３】
また、上述したモータの固定構造は、携帯用のプリンタ１０のモータを固定する場合で説明したが、本発明のモータの固定構造は、モータ３８を備えた他の電気機器にも適用することができる。
【００２４】
【発明の効果】
以上説明したように、本発明に係るモータの固定構造によれば、ネジ止めが不要となり作業の簡略化を図ることができる。また、部品点数を削減できるので、コスト低減に寄与する。
【図面の簡単な説明】
【図１】図１は、本発明のモータの固定構造を適用する携帯用プリンタの斜視図
【図２】図２は、モータをモータ収納部に固定する前の斜視図
【図３】図３は、モータをモータ収納部に固定した後の斜視図
【図４】図４は、モータを固定した後の状態をプリンタの側方を切り欠いて示した側面図
【図５】モータカバーとスナップ板を説明する斜視図
【符号の説明】
１０…プリンタ、１２…プリンタ装置本体、１４…開閉カバー、３６…プラテンローラ、３８…モータ、３８Ａ…モータ周面、３８Ｂ…モータ側面、３８Ｃ…取付け用ネジ孔、４０…モータ収納部、４２…ギア、４４…モータカバー、４４Ａ…突起部、４６…スナップ板（第１の嵌合部材）、４６Ａ…係合爪、４８…溝板（第２の嵌合部材）、４８Ａ…ガイド溝、４８Ｂ…係合孔、５０…収納部本体、５４…リブ付き板
【図１】
0004521915.tif 000002
【図２】
0004521915.tif 000003
【図３】
0004521915.tif 000004
【図４】
0004521915.tif 000005
【図５】
0004521915.tif 000006